(57)【要約】【課題】身体が不自由でマットレスに横たわった状態から体の位置を移動させることができない状態でも、その位置で排泄ができるようにする。【解決手段】マットレス1の略中央かつ長手方向に沿って排泄用長溝2を凹設し、長溝2内面および長溝2周辺のマットレス1上面を防水シート4にて覆う。このマットレス1の使用に際しては、お尻の位置を長穴2の略中央に位置させおくことにより長穴2の範囲内であればお尻の位置が多少ずれていてもその位置で確実に長穴2内に排泄することができる。【選択図】図１
2010088701.tif 000002
【特許請求の範囲】
【請求項１】
マットレスの略中央かつ長手方向に沿って排泄用長溝を凹設したことを特徴とする排泄用溝付きマットレス。
【請求項２】
前記排泄用長溝が略長方形であることを特徴とする請求項１記載の排泄用溝付きマットレス。
【請求項３】
前記排泄用長溝内面および該排泄用長溝に連結して前記マットレスの上面を防水シートにて覆うことを特徴とする請求項１および２記載の排泄用溝付きマットレス。
【請求項４】
前記防水シートがビニールから成ることを特徴とする請求項３記載の排泄用溝付きマットレス。
【請求項５】
前記防水シートにて覆った前記排泄用長溝内に、該排泄用長溝の長さを複数分割した長さのブロックそれぞれを挿脱自在に装着することを特徴とする請求項１，２，３又は４記載の排泄用溝付きマットレス。
【請求項６】
前記ブロックの材質がマットレスと同一であることを特徴とする請求項５記載の排泄用長溝付きマットレス。
【発明の詳細な説明】
【技術分野】
【０００１】
本発明は、寝具として用いられるマットレスに関する。
【背景技術】
【０００２】
排泄は誰でもできることなら人に頼らずにトイレにて自力で行い、凛として生きたいものである。しかしながら行動が不自由になると所定の場所に移動する間に排泄が間に合わなくなることがある。このような状態になれば人手に頼らないためにオムツをあてがわねばならなくなるのが現状である。特に寝たきりの状態になれば尿意や便意を感じたときにその場ですぐに排泄できることが必要となる。これらの問題を解決するために従来は、マットレスに横たわる人のお尻に位置するマットレス部分に穴をあけ、常時は穴の面をマットレスと同材質の蓋などにて塞いで上面を平らに保っておき、排泄時には蓋を取り除いて穴の底部に便器を露出させることにより排泄を可能にする技術が開発されていることは公知である。
【０００３】
しかしながら、前記従来の方法では、マットレスに横たわった状態から少しでも体の位置を移動させる体力がある場合はお尻を便器の位置まで移動させることができるが、いよいよ少しでも移動させることができない状態になった場合は便器の位置から離れた位置に排泄してしまうことになるなどの問題がある。
【発明の開示】
【発明が解決しようとする課題】
【０００４】
解決しようとする問題点は、マットレスに横たわった状態から体の位置を移動させることができない状態でも、即ちお尻の位置がどこにあっても排泄ができるようにすることである。
【課題を解決するための手段】
【０００５】
本発明は、マットレスに横たわった状態から体の位置を移動させることができない状態でも排泄することができるようにするために、マットレスの略中央かつ長手方向に沿って排泄用長溝を凹設し、排泄用長溝内面およびその周辺のマットレス上面を防水シートにて覆う。更に防水シートにて覆った排泄用長溝内にマットレスと同材質で溝長さを複数分割した長さのブロックを挿脱自在に装着する。
【発明の効果】
【０００６】
本発明は、マットレスの略中央かつ長手方向に沿って排泄用の長溝を凹設しているので、マットレスに横たわった状態から体の位置を移動させることができなくても、排泄用の長穴の範囲内にお尻があればお尻の位置が多少ずれていても長穴内に排泄することができる。また長穴およびその周辺のマットレス上面は防水シートにて覆われているので排泄時にマットレスを汚さずに済む。また長穴にはブロックを挿入することによりブロック上面がマットレス上面と同一面になるので寝心地が良くなる。排泄時にはお尻の位置に対応するブロックを取り除けば長溝内に排泄することが可能になる。これにより排泄の快適さと本人のプライドが保たれ、更に介護する人にとっても精神的に楽になるという利点がある。
【発明を実施するための最良の形態】
【０００７】
マットレスに横たわった状態から体の位置を移動させることができなくてもその位置で排泄することができるようにするという目的を、マットレスの略中央かつ長手方向に沿って排泄用長溝を凹設したことにより実現した。
【実施例１】
【０００８】
図1から図4は本発明の実施例１を示し、図1は本発明の排泄用長溝付きマットレスの全体を示す斜視図、図2はマットレスの斜視図、図3は防水シートの表側を示す斜視図、図4は防水シートの裏側を示す斜視図である。
【０００９】
図1に示すように本発明を適用するマットレス1は長方形かつ等厚であり本実施例はこのマットレス1の略中央かつ長手方向に沿って長方形の排泄用長溝2を凹設するものである。また排泄用長溝2は、本実施例では巾12cm、長さ80cm,深さ10cmで、図2に示すようにマットレス1を裏面まで貫通しており、マットレス1の両側面には後述の防水シート4を固定するマジックテープ（登録商標、以下省略）3aが設けられている。
【００１０】
また上記排泄用長溝2が施されたマットレス1の上面および長溝2内面は図3および図4に示す防水シート4、即ち本実施例ではビニールシートが図1に示すように覆われている。この防水シート4は、図3および図4に示すように本実施例ではマットレス1の排泄用長溝2の内面を覆う袋体5と袋体5に連結してマットレス1上面を覆うシート部6と、マットレス1の両側面に折り曲げて側面を覆うと共にマットレス1の側面に固定する固定部7とからなり、両固定部7の内面にはマットレス1側面に固定するためのマジックテープ（登録商標）3bが設けられている。またマットレス1の長手方向における防水シート4の長さは排泄用長穴2の長さ80cmの前後に20cmを加えた120cmとしている。なお女性の場合は排泄時に背中近傍まで汚してしまうことがあるのでこの対策として防水シート4を背中方向に適当長さ延長することが望ましい。
【００１１】
上記構成のマットレス1の使用に際しては、マットレス1の略中央に長さ80cmの排泄用長穴2が施されているので身長の大小にかかわらず長穴2の略中央にお尻を位置させておけばその範囲内で多少位置がずれても確実に長穴2内に排泄することができる。また長穴2の巾は12cmであるのでお尻が長穴2内に落ち込むことはない。なお防水シート4はマットレス1の側面にマジックテープ（登録商標）3a,3bを介して固定されているのでずれる恐れはない。また長穴2の長さ、巾、深さおよび形状は本実施例に限定するものではない。
【００１２】
更にマットレス1の上面および前記排泄用長溝2の内面は防水シート4にて覆われているので排泄時にマットレス1を汚すことがない。なお排泄のための吸水用素材として平らなオムツ，尿取りパッド、布、紙などが使用されるが、排泄後に吸水したものは長溝2内に落とし込むことができるので排泄後の処置が容易である。ちなみに本願発明者が開発した又割れパジャマを着用すればパジャマの割れ目から排泄することができるので排泄が更に容易になる。また排泄用長穴2の容量はお湯などによる局部洗浄も可能である。
【実施例２】
【００１３】
図5および図6は本発明の実施例２を示し、図5は排泄用長穴に装着するブロックの斜視図、図6はブロックを装着したマットレス示す斜視図である。
本実施例は前記実施例1におけるマットレスの排泄用長溝2内に図5に示すブロック8を挿脱自在に装着するものである。
【００１４】
ブロック8はマットレス1と同材質で、排泄用長溝2の深さと同寸、かつ排泄用長溝2の長さを複数分割した長さに形成したものである。複数分割の例として、本実施例では排泄用長穴2の長さを2等分し、分割された一方ブロックを更に2等分した8a,8b,8cとする。またブロック8の巾は排泄用長溝2内を覆う防水シート4の内巾に対して遊嵌できる程度の寸法である。この構成により図6に示すように常時はブロック8を排泄用長溝2内に装着しておけばブロック8にてマットレス1の上面が同一面になり、お尻が安定して通常の寝姿が保たれる。また排泄時には、お尻の位置に対応する8a,8b,8cのいずれかのブロックを引き抜くことで排泄が可能になる。なおこのブロックは使用しなくても本発明の主旨を逸脱するものではない。
【００１５】
上記実施例１および２における排泄用長溝付マットレス1の使用例として、防水シート4にて覆われた長溝2内に直接に排泄する他に、特に便量が多いとか、体重でお尻部分のマットレス1の沈み込みが気になる場合は、図7および図8に示す差込便器9を用いてもよい。この便器9は、お尻の下に差し込むことにより便器9の広い面積でお尻の沈みこみを防ぐことがでる。また便器9の上面を例えばビニールなどの防水シート10にて覆い、図8に示すように便器に設けられた穴11からシート10を押し下げて袋部12を形成する。この状態にて便器9をお尻の下に押し込んで、袋部12を長溝2内に位置させる。これにより排泄物は袋部12に入り込み、衛生的で排泄物の後処理が容易になる。
【００１６】
以上により本発明は、身体の行動が不自由になった高齢者、障害者、手術後の人などが尿意や便意を感じたときに排泄に間に合わなくなる夜間などにおける排泄が容易になる。あるいはオムツを外すリハビリをしたい人、またはオムツによる陰部のむれ、ただれ、発赤、かゆみがあって洗浄を頻繁に行う必要がある人、床ずれができている人などで一時的にオムツを外して乾燥したい人、意識がしっかりしているうちは自力で排泄をしたいと思っている人、おむつ代を削減しようとしている人などとって有効であり、更にごみを減らして資源を保護する環境改善に役立てることができる。
【図面の簡単な説明】
【００１７】
【図１】本発明の排泄用長溝付きマットレスの全体を示す斜視図である。（実施例１）
【図２】マットレスの斜視図である。  （実施例１）
【図３】防水シートの表側を示す斜視図である。  （実施例１）
【図４】防水シートの裏側を示す斜視図である。  （実施例１）
【図５】排泄用長穴に装着するブロックの斜視図である。  （実施例２）
【図６】ブロックを装着したマットレス示す斜視図である。  （実施例２）
【図７】差込み便器の使用例を示す斜視図    （実施例１，２）
【図８】差込み便器の断面図    （実施例１，２）
【符号の説明】
【００１８】
1  マットレス
2  排泄用長溝
3  マジックテープ
4,10  防水シート
5  袋体
6  シート部
7  固定部
8 ブロック
9  差込み便器
11  穴
12  袋部
【図１】
2010088701.tif 000003
【図２】
2010088701.tif 000004
【図３】
2010088701.tif 000005
【図４】
2010088701.tif 000006
【図５】
2010088701.tif 000007
【図６】
2010088701.tif 000008
【図７】
2010088701.tif 000009
【図８】
2010088701.tif 000010